(57)【要約】【課題】  光ドロップケーブルから支持線を分離させるときシース等が傷つくのを防ぐことができ、作業を容易に行うことができる光ドロップケーブル用安全分離具を提供する。【解決手段】  支持線に並列に光ドロップ線を接合してなる光ドロップケーブルを支持線と光ドロップ線に分離する光ドロップケーブル用分離具において、光ドロップケーブルを囲繞して光ドロップケーブルの軸方向に移動自在に、かつ、着脱自在に取り付けられるガイド部材３と、ガイド部材３内に設けられ支持線と光ドロップ線との接合部に挿入されてガイド部材３の移動に追従して支持線と光ドロップ線とを分離するカッタ部材１９とを備えたものである。【選択図】  図１
2006047915.tif 000002
【特許請求の範囲】
【請求項１】
支持線に並列に光ドロップ線を接合してなる光ドロップケーブルを支持線と光ドロップ線に分離する光ドロップケーブル用分離具において、上記光ドロップケーブルを囲繞してその光ドロップケーブルの軸方向に移動自在に、かつ、着脱自在に取り付けられるガイド部材と、該ガイド部材内に設けられ上記支持線と光ドロップ線との接合部に挿入されて上記ガイド部材の移動に追従して上記支持線と上記光ドロップ線とを分離するカッタ部材とを備えたことを特徴とする光ドロップケーブル用安全分離具。
【請求項２】
上記カッタ部材は、索又は棒状部材からなる請求項１記載の光ドロップケーブル用安全分離具。
【請求項３】
上記ガイド部材は、一部又は全部が透明に形成される請求項１又は２記載の光ドロップケーブル用安全分離具。
【請求項４】
上記ガイド部材は、そのガイド部材を支持する握り部に設けられる請求項１〜３いずれかに記載の光ドロップケーブル用安全分離具。
【請求項５】
上記ガイド部材に、軸方向と交差する方向に貫通する貫通口を形成し、その貫通口を通して索がガイド部材内を横断するように張設され、上記握り部に、ガイド部材の両側から延びる索を巻回するリール部が設けられる請求項４記載の光ドロップケーブル用安全分離具。
【請求項６】
上記ガイド部材は、二つ割りに開閉自在に形成される請求項１〜５いずれかに記載の光ドロップケーブル用安全分離具。
【請求項７】
上記ガイド部材は、可撓性を有する薄板を筒状に巻いて形成される請求項１〜５いずれかに記載の光ドロップケーブル用安全分離具。
【発明の詳細な説明】
【技術分野】
【０００１】
本発明は、光ドロップケーブルから支持線を分離させる光ドロップケーブル用分離具に関するものである。
【背景技術】
【０００２】
図１２に示すように、電柱４０間に架空された光ファイバケーブル４１から加入者宅４２に光ファイバを引き入れる場合、光ファイバケーブル４１に接続された光ドロップケーブル２を電柱４０と加入者宅４２との間に張設して加入者宅４２内に引き入れている。光ドロップケーブル２は、支持線（図示せず）に並列に光ドロップ線（図示せず）を接合してなるものである。
【０００３】
加入者宅４２内に光ドロップケーブル２を引き入れるとき、光ドロップケーブル２から支持線を分離させ、光ドロップ線のみを引き入れる配線方法と、支持線ごと光ドロップケーブル２を引き入れる配線方法とがある。図１３に示すように、加入者宅４２内に光ドロップケーブル２を支持線ごと引き入れる場合、光ドロップケーブル２をモール４３内等に収容する前に光ドロップケーブル２から支持線を分離させる。これは、モール４３内に光ドロップケーブル２を支持線ごと収容できなかったり、光ドロップケーブル２を屈曲させるときに支持線が邪魔となるためである。
【０００４】
また、光ドロップケーブル２を加入者宅４２内のＯＮＵ（Ｏｐｔｉｃａｌ  Ｎｅｔｗｏｒｋ  Ｕｎｉｔ）等に接続する際にも光ドロップケーブル２から支持線を分離させる。
【０００５】
光ドロップケーブル２から支持線を分離させる作業は、特許文献１や特許文献２記載のように切断刃を有する工具（光ドロップケーブル用分離具）を用い、支持線と光ドロップ線との間に形成された接合部（図示せず）を切断することで行っている。
【０００６】
【特許文献１】実公昭６１−３８５２５号公報
【特許文献２】実開平４−６８４１３号公報
【発明の開示】
【発明が解決しようとする課題】
【０００７】
ところで、接合部は光ドロップ線のシース（図示せず）と一体に形成されるものであるため、切断刃で切断するとき、力の入れ具合等を誤ると切断刃が接合部から外れてシース等を傷つける虞があるという課題があった。特に、未使用の光ドロップケーブル２は、巻き束に巻かれており、巻き束から繰り出したばかりの光ドロップケーブル２は捻れている場合が多いため、工具で接合部を切断するとき、予め光ドロップケーブル２の捻れを直しておくか、或いは捻れた位置に至る度に接合部から切断刃を外して工具を持ち替えなくてはならず、煩雑であるという課題があった。なお、一般に光ファイバは曲げに弱いため、接合部を手で引き裂くようなことは行わない。
【０００８】
そこで、本発明の目的は、上記課題を解決し、光ドロップケーブルから支持線を分離させるときシース等が傷つくのを防ぐことができ、作業を容易に行うことができる光ドロップケーブル用安全分離具を提供することにある。
【課題を解決するための手段】
【０００９】
上記目的を達成するために本発明は、支持線に並列に光ドロップ線を接合してなる光ドロップケーブルを支持線と光ドロップ線に分離する光ドロップケーブル用分離具において、上記光ドロップケーブルを囲繞してその光ドロップケーブルの軸方向に移動自在に、かつ、着脱自在に取り付けられるガイド部材と、該ガイド部材内に設けられ上記支持線と光ドロップ線との接合部に挿入されて上記ガイド部材の移動に追従して上記支持線と上記光ドロップ線とを分離するカッタ部材とを備えたものである。
【００１０】
上記カッタ部材は、索又は棒状部材からなるとよい。
【００１１】
上記ガイド部材は、一部又は全部が透明に形成されるとよい。
【００１２】
上記ガイド部材は、そのガイド部材を支持する握り部に設けられるとよい。
【００１３】
また、上記ガイド部材に、軸方向と交差する方向に貫通する貫通口を形成し、その貫通口を通して索がガイド部材内を横断するように張設され、上記握り部に、ガイド部材の両側から延びる索を巻回するリール部が設けられるとよい。
【００１４】
上記ガイド部材は、二つ割りに開閉自在に形成されるとよい。
【００１５】
また、上記ガイド部材は、可撓性を有する薄板を筒状に巻いて形成されてもよい。
【発明の効果】
【００１６】
本発明によれば、光ドロップケーブルから支持線を分離させるときシース等が傷つくのを防ぐことができ、作業を容易に行うことができる。
【発明を実施するための最良の形態】
【００１７】
図１は本発明の好適実施の形態を示す光ドロップケーブル用安全分離具の斜視図であり、図２は光ドロップケーブル用安全分離具の側断面図であり、図３は光ドロップケーブル用安全分離具の正面図であり、図４は光ドロップケーブル用安全分離具の平面断面図である。
【００１８】
図１、図２及び図３に示すように、光ドロップケーブル用安全分離具１は、光ドロップケーブル２を囲繞して光ドロップケーブル２の軸方向に移動自在に、かつ、着脱自在に取り付けられるガイド部材３と、ガイド部材３内に設けられ支持線１４と光ドロップ線１５との接合部５に挿入されてガイド部材３の移動に追従して支持線１４と光ドロップ線１５とを分離するカッタ部材１９とを備えて構成されている。
【００１９】
カッタ部材１９は、索４からなる。索４は、接合部５を切断するためのものであり、光ファイバケーブル（図示せず）に設けられそのシースを剥くときにシースを切り裂くための切り裂き紐からなる。切り裂き紐は、強靱な樹脂製の紐からなり、主に光ファイバケーブル（図示せず）を接続する際に用いられる。切り裂き紐は、シースを切り裂いたのちは通常廃棄される。すなわち、切り裂き紐は、光ドロップケーブル２を張設する現場では極めて容易に入手できる廃材であり、かつ、シースを切り裂くのに必要な耐久性や細さなどを備えている。
【００２０】
ガイド部材３は、樹脂にて断面円形の筒状に形成されており、全体を透明に形成されている。これにより、後述する索４に光ドロップケーブル２の接合部５を容易に位置合わせできるようになっている。また、ガイド部材３には、径方向に貫通する貫通口６が形成されており、この貫通口６を通して後述する索４がガイド部材３内を横断するように張設されている。貫通口６は、ガイド部材３の軸方向の略中央に径方向に貫通する孔を形成してなるものである。ガイド部材３は、そのガイド部材３を支持する握り部７に設けられている。
【００２１】
図１及び図４に示すように、握り部７は、樹脂からなり、手の平に収まる矩形板状に形成されている。そして、握り部７は全体を透明に形成されており、握り部７越しにガイド部材３内を透視できるようになっている。また、握り部７には、ガイド部材３の両側から延びる索４を巻回するためのリール部８と、索４を留めるためのピン９、１０とが設けられている。リール部８は、握り部７の対向する辺にそれぞれ索４を掛けるための溝１１を形成してなり、これら溝１１間に索４を掛け回すことで索４を巻回するようになっている。ピン９、１０は、握り部７に形成された孔（図示せず）に挿抜自在に挿入されて握り部７に固定される挿入ピン部１２と、挿入ピン部１２の一端に形成された頭部１３とからなり、挿入ピン部１２に索４を巻回し、頭部１３と握り部７との間に索４を挟むことで索４を留めるように構成されている。具体的には、ピン９、１０は、索４の端部を留めるための端部用ピン９と、ガイド部材３から延びる索４を端部用ピン９に案内するためのガイド用ピン１０とからなる。
【００２２】
索４は、リール部８に巻回されると共に一端を端部用ピン９に留められており、リール部８から延びる他端側をガイド部材３の貫通口６に挿通されている。そして、貫通口６から延びる索４の他端側は、ガイド用ピン１０に掛け回されたのち端部用ピン９に留められている。
【００２３】
次に本実施の形態の作用を述べる。
【００２４】
光ドロップケーブル用安全分離具１で光ドロップケーブル２の端部から支持線１４を分離させる場合、まず、光ドロップケーブル２先端の接合部５をガイド部材３の半分程度の長さ手で引き裂く。この後、図２に示すように、光ドロップケーブル２の先端をガイド部材３内に一端側から挿入し、ガイド部材３内に張られた索４に引き裂いた接合部５の位置を合わせる。すなわち、引き裂かれた支持線１４と光ドロップ線１５との間に索４を入れ、索４が接合部５に当たる位置まで光ドロップケーブル２を挿入する。これにより、光ドロップケーブル２の先端はガイド部材３の他端側から露出されるので、光ドロップケーブル２の先端を一方の手で支持し、他方の手で光ドロップケーブル用安全分離具１の握り部７をガイド部材３と共に握り、光ドロップケーブル用安全分離具１を光ドロップケーブル２に沿って引く。接合部５はガイド部材３内に張られた索４によって切り裂かれることとなる。このとき、索４の力は支持線１４や光ドロップ線１５よりも細い接合部５に集中するため、比較的小さな力で容易に接合部５を切り裂くことができる。また、刃を用いないため、シース１６やシース１６内の光ファイバ１７等を傷つける心配もない。なお、光ドロップ線１５の最初に手で引き裂いた部分は通信機器（図示せず）等に接続する前に切除し、利用しないようにする。
【００２５】
また、光ドロップケーブル２が捻れている位置に至ると、接合部５が螺旋状となり、光ドロップケーブル用安全分離具１を引けなくなるが、光ドロップケーブル用安全分離具１を一旦手放すことで光ドロップケーブル用安全分離具１を光ドロップケーブル２の捻れに合わせて回転させることができ、光ドロップケーブル用安全分離具１を再び光ドロップケーブル２に沿って引くことができる。すなわち、光ドロップケーブル２に光ドロップケーブル用安全分離具１を取り付けたまま、光ドロップケーブル２の接合部５を捻れた状態のままで切り裂くことができる。
【００２６】
このようにして接合部５を所定の長さ切断できたら、光ドロップケーブル用安全分離具１を光ドロップケーブル２に沿って戻し、光ドロップケーブル２から外す。
【００２７】
索４が摩耗するなどして切断されたら、ガイド用ピン１０に掛けられた側の索４を取り除き、リール部８から索４の他端側を繰り出し、取り除いた索４と同様の経路上に掛け回す。これにより、極めて容易に修理することができ、ほとんど作業効率を落とすことはない。
【００２８】
索４の長さが足りなくなったら、索４をリール部８から取り外し、新たな索４をリール部８に巻くと共にその一端を端部用ピン９に留め、他端側を上述と同様にガイド部材３の貫通口６、ガイド用ピン１０を経て端部用ピン９に留めるとよい。索４は、光ファイバケーブルのシースを切り裂くときゴミとして発生するため、現場で容易に入手できる。
【００２９】
このように、光ドロップケーブル２を囲繞して光ドロップケーブル２の軸方向に移動自在に、かつ、着脱自在に取り付けられるガイド部材３と、ガイド部材３内に設けられ支持線１４と光ドロップ線１５との接合部５に挿入されてガイド部材３の移動に追従して支持線１４と光ドロップ線１５とを分離するカッタ部材１９とを備えて光ドロップケーブル用安全分離具１を構成したため、光ドロップケーブル２から支持線１４を分離させるときシース１６等が傷つくのを防ぐことができ、光ドロップケーブル２の捻れを直したり、光ドロップケーブル用安全分離具１を一旦接合部５から外したりしなくてもよく、接合部５を容易に切断できる。また、構造が簡単であるため安価に製作できる。そして、特に光ドロップケーブル２から支持線１４を長い距離（数メートル以上）に渡って分離させるとき、作業性と作業効率を飛躍的に向上できる。
【００３０】
また、カッタ部材１９は、索４からなるものとしたため、シース１６等が傷つくのを確実に防ぐことができる。
【００３１】
ガイド部材３を透明に形成したため、光ドロップケーブル２とカッタ部材１９を目視しながら光ドロップケーブル２に光ドロップケーブル用安全分離具１を容易にセットすることができる。
【００３２】
また、ガイド部材３は、そのガイド部材３を支持する握り部７に設けられるものとしたため、握り部７と共に握ることで容易に力を入れることができ、容易に光ドロップケーブル用安全分離具１を光ドロップケーブル２に沿って移動させることができる。
【００３３】
ガイド部材３に、径方向に貫通する貫通口６を形成し、その貫通口６を通して索４が筒内を横断するように張設され、握り部７に、ガイド部材３の両側から延びる索４を巻回するリール部８が設けられるものとしたため、索４を繰出可能にでき、索４が摩耗するなどして切れたときに索４を繰り出して容易に復旧することができる。
【００３４】
なお、ガイド部材３と握り部７は全体的に透明に形成するものとしたが、一部が透明であってもよい。
【００３５】
カッタ部材１９は索４からなるものとしたが、棒状の部材（図示せず）からなるものとしてもよい。
【００３６】
また、索４は、光ファイバケーブルの切り裂き紐からなるものとしたが、これに限るものではなく、針金（図示せず）やワイヤ（図示せず）であってもよく、他の紐であってもよい。但し、切り裂き紐は作業現場で容易に入手でき、リサイクルにもつながるため、利用することが好ましい。
【００３７】
貫通口６は、ガイド部材３の軸方向の略中央に形成するものとしたがこれに限るものではない。貫通口６はガイド部材３のいずれの位置に形成してもよく、図５に示すように、ガイド部材１８に軸方向に複数離間して形成してもよい。この場合、図示するようにいずれか一つの貫通口６に索４を通して張設すると、取り扱う光ドロップケーブル２のサイズ等に応じて索４の位置を選択することができる。また、図６に示すように複数の貫通口６にそれぞれ別々の索４を張設してもよい。これによれば、いずれかの索４が切断されても他の索４で作業を続けることができ、作業性を向上できる。
【００３８】
また、ガイド部材３に径方向に貫通する孔を形成して貫通口６を形成するものとしたが、図７に示すように貫通口２０は、ガイド部材２１の一側に溝２２を形成してなるものとしてもよい。このとき、ガイド部材２１の一端側から他端側に傾斜して延びるように溝２２を形成し、ガイド部材２１に光ドロップケーブル２を一端側から挿入するようにすると、索４を安定させることができる。また、溝２２は、軸に対して垂直に形成してもよい。
【００３９】
次にガイド部材に変更を加えた他の実施の形態について述べる。上述と同様の構成については説明を省き、同符号を付す。
【００４０】
図８に示すように、光ドロップケーブル用安全分離具３１のガイド部材２５は二つ割りに開閉自在に形成されており、ガイド部材２５内を開閉自在に開放できるようになっている。具体的には、ガイド部材２５は、握り部７に一体に設けられる固定部２６と、固定部２６にひんじ２７を介して回動自在に設けられる蓋部２８とからなる。蓋部２８の自由端側には、蓋部２８を閉じた状態に保持するための留め具２９が設けられている。留め具２９は、固定部２６に係脱自在に係止される掛け爪３０からなり、力を受けることで変形し、固定部２６から離脱されるようになっている。
【００４１】
このように、ガイド部材２５を二つ割りに開閉自在に形成すると、光ドロップケーブル用安全分離具３１で光ドロップケーブル２から支持線１４を所定長さ分離させたのち、ガイド部材２５を開き、索４を切断、或いはガイド部材２５から外すことで光ドロップケーブル用安全分離具３１を光ドロップケーブル２から容易に外すことができる。特に接合部５の切断長さが長いとき、切断した長さだけ光ドロップケーブル用安全分離具３１を光ドロップケーブル２に沿って戻さなくてもよいため、作業性を向上できる。また、蓋部２８を開けることで光ドロップケーブル２の接合部５に索４を容易に位置合わせすることができ、作業性を向上できる。そして、蓋部２８を開けることでガイド部材２５内の索４を直接目視しながら作業できるため、ガイド部材２５を必ずしも透明に形成する必要はなく、樹脂よりも強度の高い金属等で形成してもよい。
【００４２】
また、支持線１４を光ドロップケーブル２の中間位置で分離させる場合、接合部５に適当な工具で孔を空けたのち、この孔に索４を通し、蓋部２８を開けたガイド部材２５内に光ドロップケーブル２を収容しつつ索４の両端側をそれぞれ貫通口６に通し、上述と同様の要領でガイド部材３とリール部８に索４を取り付け、光ドロップケーブル用安全分離具３１を索４に沿って移動させるとよい。光ドロップケーブル２の中間で支持線１４を容易に分離させることができる。
【００４３】
図９に示すようにガイド部材３２を断面矩形状に形成し、一面を開閉自在な蓋部３３としてもよい。製作が容易であり、安価にできる。
【００４４】
また、ガイド部材３は断面円形の筒状に形成するものとしたが、これに限るものではない。ガイド部材３は、光ドロップケーブル２に対して軸方向に移動自在に光ドロップケーブル２を囲繞するものであればよく、断面矩形状の筒状であってもよく、他の形状であってもよい。
【００４５】
またさらに、図１０に示すように、ガイド部材３５は光ドロップケーブル２を微小な間隔を隔てて囲繞するものとしてもよい。これによれば、カッタ部材１９と接続部（図示せず）との位置合わせを容易にでき、カッタ部材１９を常に接続部に追従させることができる。ただし、ガイド部材３５と光ドロップケーブル２との摩擦が大きくなることが考えられるため、作業中に光ドロップケーブル２に対して傾かない程度にガイド部材３５の軸方向の長さを短く形成するとよい。また、光ドロップケーブル２には種々のサイズ（径）があるため、サイズごとに用意するとよい。
【００４６】
なお、光ドロップケーブル用安全分離具３１のガイド部材２５は二つ割りに開閉自在に形成するものとしたが、図１１に示すように、可撓性を有する薄板を筒状に巻いて筒状体５０を形成すると共に、この筒状体５０に径方向に貫通する貫通口６を形成してガイド部材５１を構成してもよい。開閉自在なガイド部材５１にあって蓋を省くことができる。
【００４７】
光ドロップケーブル２から支持線１４を分離するときには径方向に開放する隙間がないため、ガイド部材５１が光ドロップケーブル２から外れることはなく、分離終了後には薄板同士が重なるラップ部分５２に光ドロップケーブル２を案内してラップ部分５２を押し広げることで光ドロップケーブル用安全分離具５３を光ドロップケーブル２から容易に外すことができる。
【図面の簡単な説明】
【００４８】
【図１】本発明の好適実施の形態を示す光ドロップケーブル用安全分離具の斜視図である。
【図２】光ドロップケーブル用安全分離具の側断面図である。
【図３】光ドロップケーブル用安全分離具の正面図である。
【図４】光ドロップケーブル用安全分離具の平面断面図である。
【図５】他の実施の形態を示す光ドロップケーブル用安全分離具の斜視図である。
【図６】他の実施の形態を示す光ドロップケーブル用安全分離具の斜視図である。
【図７】他の実施の形態を示す光ドロップケーブル用安全分離具の側面図である。
【図８】他の実施の形態を示す光ドロップケーブル用安全分離具の正面図である。
【図９】他の実施の形態を示す光ドロップケーブル用安全分離具の正面図である。
【図１０】他の実施の形態を示す光ドロップケーブル用安全分離具の正面図である。
【図１１】他の実施の形態を示す光ドロップケーブル用安全分離具の斜視図である。
【図１２】光ドロップケーブルを電柱と加入者宅との間に張設した状態を示す概略説明図である。
【図１３】光ドロップケーブルを加入者宅内に引き入れた状態を示す概略説明図である。
【符号の説明】
【００４９】
１  光ドロップケーブル用安全分離具
２  光ドロップケーブル
３  ガイド部材
４  索
６  貫通口
７  握り部
８  リール部
１４  支持線
１５  光ドロップ線
１９  カッタ部材
２５  ガイド部材
３１  光ドロップケーブル用安全分離具
【図１】
2006047915.tif 000003
【図２】
2006047915.tif 000004
【図３】
2006047915.tif 000005
【図４】
2006047915.tif 000006
【図５】
2006047915.tif 000007
【図６】
2006047915.tif 000008
【図７】
2006047915.tif 000009
【図８】
2006047915.tif 000010
【図９】
2006047915.tif 000011
【図１０】
2006047915.tif 000012
【図１１】
2006047915.tif 000013
【図１２】
2006047915.tif 000014
【図１３】
2006047915.tif 000015